(57)【要約】【解決手段】底板１ｃの裏面に底部嵌合部１ｄが形成されている底部１と、該底部を囲むように配設された側壁２、３とを有し、前記側壁を、前記底部に重なるように倒すことにより折り畳むことが可能な折り畳みコンテナーにおいて、前記底部嵌合部の周辺枠１ｄ３と前記底板とにより形成される隅部に、適当数の載置リブ５、６を形成するとともに、前記底部嵌合部の裏面と前記載置リブの下端とを面一に形成したものである。【効果】折り畳みコンテナーの底部の土手部や箱型に組み立てられた状態の側壁に、上方から負荷がかかっても、床面や地面に当接している載置リブが負荷を負担することができ、従って、底部が下方に屈曲し、座屈を起すようなことを防止することができる。【選択図】図６
2005186943.tif 000002
【特許請求の範囲】
【請求項１】
底板の裏面に底部嵌合部が形成されている底部と、該底部を囲むように配設された側壁とを有し、前記側壁を、前記底部に重なるように倒すことにより折り畳むことが可能な折り畳みコンテナーにおいて、前記底部嵌合部の周辺枠と前記底板とにより形成される隅部に、適当数の載置リブを形成するとともに、前記底部嵌合部の裏面と前記載置リブの下端とを面一に形成したことを特徴とする折り畳みコンテナー。
【請求項２】
上記載置リブの先端と上記底部に形成された土手部の外壁部との間に所定の間隙が形成されているとともに、上記側壁の上部内側角部に、前記側壁の上端フランジの上面に所定の幅の残余部が形成されるように、載置リブ用嵌合凹部を形成したことを特徴とする請求項１に記載の折り畳みコンテナー。
【請求項３】
上記載置リブを、上記底部に形成された土手部の内部空間を区画する区画壁と一体に形成したことを特徴とする請求項１又は請求項２に記載の折り畳みコンテナー。
【請求項４】
上記底部嵌合部の角部領域に、角部張出部を形成したことを特徴とする請求項１〜請求項３のいずれか１項に記載の折り畳みコンテナー。
【発明の詳細な説明】
【技術分野】
【０００１】
本発明は、底部を囲むように配設された側壁が、底部に重なるように折り畳むことができる折り畳みコンテナーに関するものである。
【背景技術】
【０００２】
折り畳みコンテナーの底部には、組み立てられた折り畳みコンテナー同士を、積み重ねた際に、下に位置する折り畳みコンテナーの開口部に嵌合する底部嵌合部が形成されており、上に位置する折り畳みコンテナーの底部に形成されている底部嵌合部を、下に位置する折り畳みコンテナーの開口部に嵌合することにより、下に位置する折り畳みコンテナーに対して、上に位置する折り畳みコンテナーが水平方向に移動しないように構成されている。
【０００３】
上述したように、折り畳みコンテナーの底部には、底部嵌合部が形成されているために、折り畳みコンテナーを、床面や地面等に載置した際には、底部嵌合部のみが床面や地面等に接触し、底部嵌合部が形成されていない底部は、床面や地面等に接触しないことになる。従って、例えば、折り畳みコンテナーの角部に、上方から負荷がかかった場合に、床面や地面等に接触していない底部の角部が、下方に屈曲し、座屈を起すという問題があった。
【０００４】
上述したような床面や地面等に接触していない底部の角部が、下方に屈曲し、座屈を起こさないように，底部嵌合部から底部の角部方向に延在する角部リブや角部張出部を形成した折り畳みコンテナーが，特許文献１に記載されている。
【０００５】
また、箱型に組み立てられた折り畳みコンテナーを、適当数、パレットに載置し、パレットに載置された箱型に組み立てられた折り畳みコンテナーに、更に、パレットを載置することが行われているが、パレットが、特許文献２に開示されているような脚部を有するような場合には、脚部が、下に位置する箱型に組み立てられた折り畳みコンテナーの側壁に載置されることになる。
【０００６】
【特許文献１】特開２００１−１３０５５０号公報
【特許文献２】特開平１１−２３６０４０号公報
【発明の開示】
【発明が解決しようとする課題】
【０００７】
上述した従来の折り畳みコンテナーにおいては，折り畳みコンテナーの角部に，上方から負荷がかかった場合には，底部の角部が、下方に屈曲したり座屈するようなことを防止することがきるが，角部以外の側壁に，上方から負荷がかかった場合には，底部や側壁が，変形したり座屈を起こすという問題があった。
【０００８】
また、上述したように、パレットの脚部が、下に位置する箱型に組み立てられた折り畳みコンテナーの側壁に載置された場合には、底部や側壁が，変形したり座屈を起こすという問題があった。
【０００９】
本発明の目的は，上述した従来の折り畳みコンテナーが有する課題を解決することにある。
【課題を解決するための手段】
【００１０】
底板の裏面に底部嵌合部が形成されている底部と、該底部を囲むように配設された側壁とを有し、前記側壁を、前記底部に重なるように倒すことにより折り畳むことが可能な折り畳みコンテナーにおいて、第１には、前記底部嵌合部の周辺枠と前記底板とにより形成される隅部に、適当数の載置リブを形成するとともに、前記底部嵌合部の裏面と前記載置リブの下端とを面一に形成したものであり、第２には、前記載置リブの先端と前記底部に形成された土手部の外壁部との間に所定の間隙が形成されているとともに、前記側壁の上部内側角部に、前記側壁の上端フランジの上面に所定の幅の残余部が形成されるように、載置リブ用嵌合凹部を形成したものであり、第３には、前記載置リブを、前記底部に形成された土手部の内部空間を区画する区画壁と一体に形成したものであり、第４には、前記底部嵌合部の角部領域に、角部張出部を形成したものである。
【発明の効果】
【００１１】
底部嵌合部の周辺枠と底板とにより形成される隅部に、適当数の載置リブを形成するとともに、底部嵌合部の裏面と載置リブの下端とを面一に形成したので、折り畳みコンテナーの底部の土手部や箱型に組み立てられた状態の側壁に、上方から負荷がかかっても、床面や地面に当接している載置リブが負荷を負担することができ、従って、底部が下方に屈曲し、座屈を起すようなことを防止することができる。
【００１２】
載置リブの先端と底部に形成された土手部の外壁部との間に所定の間隙が形成されているとともに、側壁の上部内側角部に、側壁の上端フランジの上面に所定の幅の残余部が形成されるように、載置リブ用嵌合凹部を形成することにより、箱型に組み立てられた状態における側壁の上面に、実質的に連続した額縁状平坦部を形成したので、下に位置する箱型に組み立てられた折り畳みコンテナーに、箱型に組み立てられた折り畳みコンテナーを段積みした場合や、箱型に組み立てられた折り畳みコンテナーにパレットを載置した場合に、下に位置する箱型に組み立てられた折り畳みコンテナーの側壁の額縁状平坦部により、負荷が、満遍なく負担されるので、側壁が屈曲し、座屈を起こすようなことを防止することができる。
【００１３】
載置リブを、底部に形成された土手部の内部空間を区画する区画壁と一体に形成したので、載置リブの強度や剛性を高めることができる。
【００１４】
底部嵌合部の角部領域に、角部張出部を形成したので、折り畳みコンテナーの角部に、上方から負荷がかかっても、床面や地面に当接している角部張出部が負荷を負担し、従って、底部の角部が下方に屈曲し、座屈を起すようなことを防止することができる。また、角部張出部の裏面が、所定の面積を有する面状に形成されているので、細長い底部角部リブとして形成されたものに比べ、折り畳みコンテナーが安定した状態で、床等に載置されるとともに、強度的に弱い底部角部リブが損傷するというようなことを防止することができる。
【実施例】
【００１５】
以下に、本発明の実施例について説明するが、本発明の趣旨を越えない限り、何ら、本実施例に限定されるものではない。
【００１６】
１は、平面形状が長方形状の底部であり、底部１の相対する長辺側土手部１ａには、適当なヒンジ部材を介して長側壁２がヒンジ連結されており、また、底部１の相対する短辺側土手部１ｂには、同じくヒンジ部材を介して短側壁３がヒンジ連結されている。本実施例においては、長辺側土手部１ａが、短辺側土手部１ｂより高く構成されており、底部１と長側壁２とのヒンジ連結部は、底部１と短側壁３とのヒンジ連結部より高い位置にある。
【００１７】
図１に示されているように、箱型に組み立てられた状態の折り畳みコンテナーを折り畳むには、先ず最初に、短側壁３を折り畳みコンテナーの内側に倒して、図２に示されているように、底部１の上に重ねる。次いで、同じく、長側壁２を折り畳みコンテナーの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を略垂直に立て、次いで、短側壁３を略垂直に立てて、折り畳みコンテナーを箱型に組み立てる。
【００１８】
次に、図５及び図６を用いて、底部１について説明する。
【００１９】
底部１の長辺側土手部１ａ及び短辺側土手部１ｂは、長手方向に対して垂直な断面形状が、略逆Ｕ字状に形成されており、長辺側土手部１ａの内部空間Ａ１には，内部空間Ａ１を区画する区画壁１ａ１が、長辺側土手部１ａの長さ方向に対して略垂直に、適当数、形成されている。同様に，短辺側土手部１ｂの内部空間Ａ２内にも，内部空間Ａ２を区画する区画壁１ｂ１が、短辺側土手部１ｂの長さ方向に対して略垂直に、適当数、形成されている。
【００２０】
底板１ｃの裏面には、長辺側土手部１ａに略平行な複数のリブ１ｄ１及び短辺側土手部１ｂに略平行で、上記リブ１ｄ１と交差する複数のリブ１ｄ２が垂下されているとともに、上記リブ１ｄ１、１ｄ２周囲を周辺枠１ｄ３で囲むことにより、底部嵌合部１ｄが形成されている。
【００２１】
底部嵌合部１ｄの４つの角部領域、換言すれば、底部１の４つの角部１ｅ付近の角部領域には、底部１の角部１ｅ方向に延在する角部張出部１ｆが形成されており、底部嵌合部１ｄの裏面と角部張出部１ｆの裏面とは、面一に形成されている。
【００２２】
角部張出部１ｆは、長辺側土手部１ａに平行な長辺側壁部１ｆ１と短辺側土手部１ｂに平行な短辺側壁部１ｆ２とを有しており、また、長辺側壁部１ｆ１は、底部嵌合部１ｄを形成する周辺枠１ｄ３方向に延在する傾斜部１ｆ３を介して、長辺側土手部１ａ側に位置する周辺枠１ｄ３に連結されており、同様に、短辺側壁部１ｆ２は、底部嵌合部１ｄを形成する周辺枠１ｄ３方向に延在する傾斜部１ｆ４を介して、短辺側土手部１ｂ側に位置する周辺枠１ｄ３に連結されている。なお、長辺側壁部１ｆ１、短辺側壁部１ｆ２及び傾斜部１ｆ３、１ｆ４により囲まれた空間にも、上述したリブ１ｄ１、リブ１ｄ２が形成されている。
【００２３】
底部１の長辺側土手部１ａの両端部には、平面形状が略Ｌ状の角部ブロック１ｇが形成されており、角部ブロック１ｇには、内側段部１ｇ１が形成されている。折り畳まれた状態の折り畳みコンテナー同士を段積みした際には、上に位置する折り畳みコンテナーの底部嵌合部１ｄの角部張出部１ｆが、下に位置する折り畳みコンテナーの底部１に形成された角部ブロック１ｇの内側段部１ｇ１に嵌合されるように構成されている。
【００２４】
短側壁３の外壁面（折り畳みコンテナーを箱型に組みたてた際に、外側に位置する面）３ａの上部角部領域には、縦方向に延在する係合凹部３ｂが形成されており、係合凹部３ｂには、複数個の嵌合突起３ｂ１が形成されている。また、短側壁３の内壁面（折り畳みコンテナーを箱型に組みたてた際に、内側に位置する面）３ｃの上部角部領域には、横長の端部嵌合凹部３ｄが形成されており、端部嵌合凹部３ｄは、底面３ｄ１と、短側壁３の中央部側に形成された傾斜面３ｄ２と、奥壁３ｄ３とにより形成されている。端部嵌合凹部３ｄは、上部と、内側と、傾斜面３ｄ２と反対側の端部が開放されている。
【００２５】
長側壁２の垂直端の上部からは、短側壁３方向に延在する係合枠２ａが形成されており、係合枠２ａには、上述した短側壁３の係合凹部３ｂに突設された嵌合突起３ｂ１が嵌合可能な透孔２ａ１が穿設されている。また、長側壁２の垂直端の上部に形成された係合枠２ａは、折り畳みコンテナーを箱型に組みたてた際に、短側壁３の上部角部領域に形成された係合凹部３ｂに入り込むとともに、短側壁３の係合凹部３ｂに突設された嵌合突起３ｂ１が、長側壁２の係合枠２ａに穿設された透孔２ａ１に嵌入し、折り畳みコンテナーが箱型に組み立てられた際に、後から略垂直に立てられた短側壁３が、簡単には、底部１方向に倒れないように構成されている。
【００２６】
また、長側壁２の係合枠２ａ側の内壁面（折り畳みコンテナーを箱型に組みたてた際に、内側に位置する面）２ｂの上部角部領域には、横長の端部嵌合凹部２ｃが形成されており、端部嵌合凹部２ｃは、底面２ｃ１と、長側壁２の中央部側に形成された傾斜面２ｃ２と、奥壁２ｃ３と、係合枠２ａの内壁面２ａ２とにより形成されており、上部と内側が開放されている。
【００２７】
折り畳みコンテナーを箱型に組みたてた際には、短側壁３の内壁面３ｃの上部角部領域に形成された横長の端部嵌合凹部３ｄと、長側壁２の係合枠２ａ側の内壁面２ｂの上部角部領域に形成された横長の端部嵌合凹部２ｃとにより、箱型に組み立てられた折り畳みコンテナーの内部隅部には、平面形状が、略Ｌ字状の角部張出部用嵌合凹部４が形成されている。
【００２８】
箱型に組み立てられた折り畳みコンテナーを、上下方向に段積みした際には、上に位置する折り畳みコンテナーの底部１の底部嵌合部１ｄの角部張出部１ｆが、下に位置する折り畳みコンテナーの短側壁３の内壁面３ｃの上部角部領域に形成された横長の端部嵌合凹部３ｄと長側壁２の係合枠２ａ側の内壁面２ｂの上部角部領域に形成された横長の端部嵌合凹部２ｃとにより形成された角部張出部用嵌合凹部４に嵌合されるとともに、上に位置する折り畳みコンテナーの底部１の長辺側土手部１ａ側に位置する周辺枠１ｄ３の直線部分１ｄ４が、下に位置する折り畳みコンテナーの長側壁２の内壁面２ｂに接近して対向し、同様に、上に位置する折り畳みコンテナーの底部１の短辺側土手部１ｂ側に位置する周辺枠１ｄ３の直線部分１ｄ５が、下に位置する折り畳みコンテナーの短側壁３の内壁面３ｃに接近して対向し、更に、上に位置する折り畳みコンテナーの底部嵌合部１ｄの周囲に位置する底部１の底板１ｃの裏面が、下に位置する折り畳みコンテナーの長側壁２の上端フランジ２ｄの上面及び短側壁３の上端フランジ３ｅの上面に載置されるように構成されている。従って、箱型に組み立てられた折り畳みコンテナーを、安定した状態で段積みすることができる。
【００２９】
また、折り畳みコンテナーを、床面や地面に載置した際には、底部１に形成された底部嵌合部１ｄ及び該底部嵌合部１ｄの４つの角部領域に形成された角部張出部１ｆが、床面や地面に当接するように構成されているので、折り畳みコンテナーの角部に、上方から負荷がかかっても、床面や地面に当接している角部張出部１ｆが負荷を負担し、従って、底部１の角部が下方に屈曲し、座屈を起すようなことを防止することができる。また、角部張出部１ｆの裏面が、上述した特開２００１−１３０５５０号公報に開示されている細長い底部角部リブと異なり、所定の面積を有する面状に形成されているので、細長い底部角部リブとして形成されたものに比べ、折り畳みコンテナーが安定した状態で、床等に載置されるとともに、強度的に弱い底部角部リブが損傷するというようなことが、確実に防止できる。
【００３０】
更に、折り畳まれた状態の折り畳みコンテナー同士を段積みした際には、上に位置する折り畳みコンテナーの底部嵌合部１ｄの角部張出部１ｆが、下に位置する折り畳みコンテナーの底部１に形成された角部ブロック１ｇの内側段部１ｇ１に嵌合されるように構成されているので、従って、折り畳まれた状態の折り畳みコンテナーの水平方向の移動も制限され、折り畳まれた状態の折り畳みコンテナーを、安定した状態で段積みすることができる。
【００３１】
長辺側土手部１ａ側に位置する周辺枠１ｄ３の直線部分１ｄ４と底板１ｃとにより形成される隅部には、周辺枠１ｄ３の直線部分１ｄ４に対して略垂直な長辺側載置リブ５が、所定の間隔で形成されており、長辺側載置リブ５は、長辺側土手部１ａ方向に延在しているが、長辺側載置リブ５の先端５ａは、長辺側土手部１ａの外壁部１ａ２まで達しておらず、長辺側載置リブ５の先端５ａと長辺側土手部１ａの外壁部１ａ２との間には、所定に間隙が形成されている。また、長辺側載置リブ５の下端５ｂは、底部嵌合部１ｄの裏面と、面一に形成されている。更に、長辺側載置リブ５は、長辺側土手部１ａの内部空間Ａ１を区画する区画壁１ａ１と一体に形成されることが好ましい。このように、長辺側載置リブ５と区画壁１ａ１とを一体に形成することにより、長辺側載置リブ５の強度や剛性を高めることができる。なお、長側壁２の外面（折り畳みコンテナーを箱型に組み立てた際に、外側に位置する面）に垂直リブが形成されている場合には、該垂直リブを、長辺側載置リブ５や区画壁１ａ１と一体的に、換言すれば、垂直リブと長辺側載置リブ５と区画壁１ａ１とが、上下方向に一致するように配置することが好ましい。
【００３２】
同様に、短辺側土手部１ｂ側に位置する周辺枠１ｄ３の直線部分１ｄ５と底板１ｃとにより形成される隅部には、周辺枠１ｄ３の直線部分１ｄ５に対して略垂直な短辺側載置リブ６が、所定の間隔で形成されており、短辺側載置リブ６は、短辺側土手部１ｂ方向に延在しているが、短辺側載置リブ６の先端６ａは、短辺側土手部１ｂの外壁部１ｂ２まで達しておらず、短辺側載置リブ６の先端６ａと短辺側土手部１ｂの外壁部１ｂ２との間には、所定に間隙が形成されている。また、短辺側載置リブ６の下端６ｂは、底部嵌合部１ｄの裏面と、面一に形成されている。更に、短辺側載置リブ６は、短辺側土手部１ｂの内部空間Ａ２を区画する区画壁１ｂ１と一体に形成されることが好ましい。このように、短辺側載置リブ６と区画壁１ｂ１とを一体に形成することにより、短辺側載置リブ６の強度や剛性を高めることができる。なお、短側壁３の外面（折り畳みコンテナーを箱型に組み立てた際に、外側に位置する面）に垂直リブが形成されている場合には、該垂直リブを、短辺側載置リブ６や区画壁１ｂ１と一体的に、換言すれば、垂直リブと短辺側載置リブ６と区画壁１ｂ１とが、上下方向に一致するように配置することが好ましい。
【００３３】
上述したように、底部１の長辺側土手部１ａに沿って長辺側載置リブ５を形成したので、折り畳みコンテナーを、床面や地面に載置した際には、底部１に形成された底部嵌合部１ｄ及び長辺側載置リブ５が、床面や地面に当接するように構成されているので、折り畳みコンテナーの長辺側土手部１ａや箱型に組み立てられた状態の長側壁２に、上方から負荷がかかっても、床面や地面に当接している長辺側載置リブ５が負荷を負担し、従って、長辺側土手部１ａが下方に屈曲し、座屈を起すようなことを防止することができる。
【００３４】
同様に、底部１の短辺側土手部１ｂに沿って短辺側載置リブ６を形成したので、折り畳みコンテナーを、床面や地面に載置した際には、底部１に形成された底部嵌合部１ｄ及び短辺側載置リブ６が、床面や地面に当接するように構成されているので、折り畳みコンテナーの短辺側土手部１ｂや箱型に組み立てられた状態の短側壁３に、上方から負荷がかかっても、床面や地面に当接している短辺側載置リブ６が負荷を負担し、従って、短辺側土手部１ｂが下方に屈曲し、座屈を起すようなことを防止することができる。
【００３５】
次に、箱型に組み立てられた折り畳みコンテナーを段積みした際に、上に位置する折り畳みコンテナーの底部１に形成された長辺側載置リブ５及び短辺側載置リブ６が挿入される構成について説明する。
【００３６】
長側壁２の上部内側角部の適当な個所には、載置リブ用嵌合凹部７が形成されており、載置リブ用嵌合凹部７は、底面７ａと、相対する側面７ｂと、奥壁７ｃとにより形成されており、上部と内側が開放されている。載置リブ用嵌合凹部７の深さ（長側壁２の上端フランジ２ｄの上面から載置リブ用嵌合凹部７の底面７ａ迄の距離）は、長辺側載置リブ５の高さ（長辺側載置リブ５の下端５ｂから底板１ｃの裏面までの距離）と同じか、或いは、長辺側載置リブ５の高さより、若干、浅く又は深く形成されている。そして、箱型に組み立てられた折り畳みコンテナーを段積みした際に、上に位置する折り畳みコンテナーの底部１に形成された長辺側載置リブ５が、下に位置する折り畳みコンテナーの長側壁２に形成された載置リブ用嵌合凹部７に挿入されるように構成されている。なお、本実施例においては、３つの載置リブ用嵌合凹部７が形成されており、各載置リブ用嵌合凹部７には、それぞれ、２つの長辺側載置リブ５が挿入されるように構成されているが、載置リブ用嵌合凹部７の個数や、載置リブ用嵌合凹部７に挿入される長辺側載置リブ５の個数は、本実施例に限定されるものではない。
【００３７】
同様に、短側壁３の上部内側角部の適当な個所には、載置リブ用嵌合凹部８が形成されており、載置リブ用嵌合凹部８は、底面８ａと、相対する側面８ｂと、奥壁８ｃとにより形成されており、上部と内側が開放されている。載置リブ用嵌合凹部８の深さ（短側壁３の上端フランジ３ｅの上面から載置リブ用嵌合凹部８の底面８ａ迄の距離）は、載置リブ用嵌合凹部８の高さ（短辺側載置リブ６の下端６ｂから底板１ｃの裏面までの距離）と同じか、或いは、短辺側載置リブ６の高さより、若干、浅く又は深く形成されている。そして、箱型に組み立てられた折り畳みコンテナーを段積みした際に、上に位置する折り畳みコンテナーの底部１に形成された短辺側載置リブ６が、下に位置する折り畳みコンテナーの短側壁３に形成された載置リブ用嵌合凹部８に挿入されるように構成されている。なお、本実施例においては、１つの載置リブ用嵌合凹部８が形成されており、該載置リブ用嵌合凹部８には、２つの短辺側載置リブ６が挿入されるように構成されているが、載置リブ用嵌合凹部８の個数や、載置リブ用嵌合凹部８に挿入される短辺側載置リブ６の個数は、本実施例に限定されるものではない。
【００３８】
上述したように、長辺側載置リブ５の先端５ａは、長辺側土手部１ａの外壁部１ａ２まで達しておらず、長辺側載置リブ５の先端５ａと長辺側土手部１ａの外壁部１ａ２との間には、所定に間隙が形成されているので、長側壁２の上部内側角部に形成されている載置リブ用嵌合凹部７は、長側壁２の上端フランジ２ｄの上面の幅（長側壁２の厚さ方向）Ｗ１の全幅に亘たって形成されておらず、従って、載置リブ用嵌合凹部７が形成されている長側壁２の上端フランジ２ｄの上面には、所定の幅の残余部２ｄ１が形成されている。
【００３９】
同様に、短辺側載置リブ６の先端６ａは、短辺側土手部１ｂの外壁部１ｂ２まで達しておらず、短辺側載置リブ６の先端６ａと短辺側土手部１ｂの外壁部１ｂ２との間には、所定に間隙が形成されているので、短側壁３の上部内側角部に形成されている載置リブ用嵌合凹部８は、短側壁３の上端フランジ３ｅの上面の幅（短側壁３の厚さ方向）Ｗ２の全幅に亘たって形成されておらず、従って、載置リブ用嵌合凹部８が形成されている短側壁３の上端フランジ３ｅの上面には、所定の幅の残余部３ｅ１が形成されている。
【００４０】
上述したように、載置リブ用嵌合凹部７が形成されている長側壁２の上端フランジ２ｄの上面には、所定の幅の残余部２ｄ１が形成されているとともに、載置リブ用嵌合凹部８が形成されている短側壁３の上端フランジ３ｅの上面にも、所定の幅の残余部３ｅ１が形成されているので、従って、箱型に組み立てられた状態において、長側壁２の上端フランジ２ｄの上面には、幅Ｗ１の全幅に亘たって延在する凹溝や切欠きが存在せず、同様に、短側壁３の上端フランジ３ｅの上面にも、幅Ｗ２の全幅に亘たって延在する凹溝や切欠きが存在しないので、箱型に組み立てられた状態において、側壁２、３の上端フランジ２ｄ、３ｅの上面には、長側壁２の残余部２ｄ１を有する上端フランジ２ｄの上面と短側壁３の残余部３ｅ１を有する上端フランジ３ｅの上面とからなる、実質的に連続した額縁状平坦部Ｐが形成されることになる。
【００４１】
箱型に組み立てられた折り畳みコンテナーを段積みした場合には、上に位置する折り畳みコンテナーの底部嵌合部１ｄの周囲に位置する底部１の底板１ｃの裏面が、下に位置する折り畳みコンテナーの長側壁２の残余部２ｄ１を有する上端フランジ２ｄの上面と短側壁３の残余部３ｅ１を有する上端フランジ３ｅの上面とからなる、実質的に連続した額縁状平坦部Ｐに載置されることになり、従って、上に位置する折り畳みコンテナーの負荷が、下に位置する折り畳みコンテナーの長側壁２の残余部２ｄ１を有する上端フランジ２ｄの上面と短側壁３の残余部３ｅ１を有する上端フランジ３ｅの上面とからなる額縁状平坦部Ｐにより、満遍なく負担されるので、長側壁２や短側壁３が屈曲し、座屈を起すようなことを防止することができる。
【００４２】
また、図７に示されているように、箱型に組み立てられた折り畳みコンテナーＣを、適当数、パレットＴに載置し、パレットＴに載置された箱型に組み立てられた折り畳みコンテナーＣに、更に、箱型に組み立てられた折り畳みコンテナーＣが載置されているパレットＴを段積みすることが行われているが、パレットＴが載置される、箱型に組み立てられた折り畳みコンテナーＣは、上述したように、長側壁２の残余部２ｄ１を有する上端フランジ２ｄの上面と短側壁３の残余部３ｅ１を有する上端フランジ３ｅの上面とからなる額縁状平坦部Ｐにより、その負荷が、満遍なく負担されるので、パレットＴが載置される、箱型に組み立てられた折り畳みコンテナーＣの長側壁２や短側壁３が屈曲し、座屈を起すようなことを防止することができる。
【００４３】
なお、上述した実施例には、底部１に、角部張出部１ｆと長辺側載置リブ５と短辺側載置リブ６とを形成した例が示されているが、図８に示されているように、角部張出部１ｆを省略することもできる。この場合には、幾つかの長辺側載置リブ５や短辺側載置リブ６を、裏面形状が方形状の底部嵌合部１ｄの４つの角部に接近して形成することにより、折り畳みコンテナーを、床面や地面に載置した際には、角部付近に形成された長辺側載置リブ５及び短辺側載置リブ６が、床面や地面に当接するので、折り畳みコンテナーの角部に、上方から負荷がかかっても、床面や地面に当接している長辺側載置リブ５及び短辺側載置リブ６により、負荷を負担し、底部１の角部が下方に屈曲し、座屈を起すようなことを防止することができる。図８には、短辺側土手部１ｂの両端部付近に、短辺側載置リブ６を増設した例が示されており、このような短辺側載置リブ６の増設に対応して、図９に示されているように、短側壁３の上部内側角部には、載置リブ用嵌合凹部８が増設されている。
【００４４】
また、長辺側載置リブ５及び短辺側載置リブ６を、板状のリブとして形成することも、また、横幅の広いブロック状のリブとして形成することもできる。
【図面の簡単な説明】
【００４５】
【図１】図１は、箱型に組み立てられた状態の本発明の折り畳みコンテナーの斜視図である。
【図２】図２は、図１に示されている折り畳みコンテナーの組み立て途中或いは折り畳み途中の斜視図である。
【図３】図３は、図１に示されている折り畳みコンテナーが折り畳まれた状態の斜視図である。
【図４】図４は、図１に示されている箱型に組み立てられた状態の折り畳みコンテナーの平面図である。
【図５】図５は、図１に示されている折り畳みコンテナーの底部の裏面斜視図である。
【図６】図６は、図１に示されている折り畳みコンテナーの底部の部分拡大裏面斜視図である。
【図７】図７は、図１に示されている箱型に組み立てられた状態の折り畳みコンテナーが載置されたパレットが段積みされた状態の正面図である。
【図８】図８は、本発明の他の実施例の折り畳みコンテナーの底部の裏面斜視図である。
【図９】図９は、図８に示されている底部を有する折り畳みコンテナーが箱型に組み立てられ状態の斜視図である。
【符号の説明】
【００４６】
Ａ１、Ａ２・・・・・・・内部空間
Ｐ・・・・・・・・・・・額縁状平坦部
１・・・・・・・・・・・底部
１ａ・・・・・・・・・・長辺側土手部
１ｂ・・・・・・・・・・短辺側土手部
１ｆ・・・・・・・・・・角部張出部
２・・・・・・・・・・・長側壁
３・・・・・・・・・・・短側壁
４・・・・・・・・・・・角部張出部用嵌合凹部
５・・・・・・・・・・・長辺側載置リブ
６・・・・・・・・・・・短辺側載置リブ                              ７、８・・・・・・・・・載置リブ用嵌合凹部
【図１】
2005186943.tif 000003
【図２】
2005186943.tif 000004
【図３】
2005186943.tif 000005
【図４】
2005186943.tif 000006
【図５】
2005186943.tif 000007
【図６】
2005186943.tif 000008
【図７】
2005186943.tif 000009
【図８】
2005186943.tif 000010
【図９】
2005186943.tif 000011